(57)【特許請求の範囲】
【請求項１】
流体の流入口及び流出口を有しこの流体流入口と流出口の連通部に弁口を設けた弁本体と、この弁本体の弁口の開度を制御する弁部を有した弁棒と、この弁棒の駆動部を密閉するキャンとを具備する電動流量制御弁において、前記弁本体を流体の流入口及び流出口とキャン接合部を一体的に設けた鍛造による一体化部品で構成し、
前記弁本体のキャン接合部が前記キャンの開口部に内嵌される突出口と、この突出口の外囲部に凹設され前記キャンの開口端フランジ部をＯリングでシールして受入支持する環状の凹部とからなり、この凹部内に嵌合したキャン固定リングを本体カシメ部でカシメ固定して、このキャン固定リングと前記弁本体との間に前記キャンの開口端フランジ部を挾持固定したことを特徴とする電動流量制御弁。
【発明の詳細な説明】
【０００１】
【産業上の利用分野】
本発明は冷凍サイクルに用いられる冷媒のような流体の流量制御に使用する電動流量制御弁に関する。
【０００２】
【従来の技術】
図５は実公平３―５１５７４号公報で知られている従来の電動流量制御弁を示す。この従来の電動流量制御弁は、流体の流入口１及び流出口２を有しこの流体流入口１と流出口２の連通部に弁口３を設けた弁本体Ａと、この弁本体Ａの弁口弁座部３ａに接離し前記弁口３の開度を制御するニードル弁部４を有した弁棒５と、この弁棒５を開閉作動させるステッピングモータＭとを具備する。
【０００３】
このステッピングモータＭは、前記弁棒５の駆動部を密閉するキャン６（このキャンの下蓋７は弁本体Ａの流体流出口２と反対側になる外側部に溶接固定されている）と、このキャン６の外側に配置されるステータコイル８と、前記キャン６の内側に配置されステータコイル８に与えられるパルス信号に応じて回動される弁開閉方向に位置移動可能なロータ９とから構成されている。
【０００４】
前記ロータ９は図面では省略しているが筒状のロータマグネットと中心に雌ねじ部１０を有するスリーブとからなり、このロータ９の中心雌ねじ部１０は管状の固定ガイド１１（弁本体Ａの弁棒挿通部に固定されている）の外周雄ねじ部１２と螺合し、ロータ９の回転によるねじ送り作用で弁棒５を開閉作動させるように構成されている。なお、前記弁棒５はロータ９の中心隔壁孔に上端部を嵌挿してＣリング１３で係止され、且つスプリング１４で下方に付勢されている。
【０００５】
前記ロータ９には上端突出ピン１５と下端突出ピン１６が例えばねじによる螺着で取付けてある。一方、前記キャン６のストッパ受け１７には上端ストッパ１８が固定され、前記ロータ９の回転により弁棒５が上限に達した時（弁部４の全開点で弁座部３ａに対し全開した時）にロータ９の上端突出ピン１５が上端ストッパ１８に当接して、ロータ９の回転を停止しロータ移動の上限を規制する。
【０００６】
また、前記弁棒５が下限に達した時（弁部４の全閉点で弁座部３ａを全閉した時）には、ロータ９の下端突出ピン１６が弁本体Ａに取付けた下端ストッパ１９に当接して、ロータ９の回転を停止しロータ移動の下限を規制する。
【０００７】
【発明が解決しようとする課題】
前記従来の電動流量制御弁においては、弁本体Ａが黄銅材（真鍮材）で構成され、下蓋７とキャン６はステンレス材で構成されている。そして、弁本体Ａと下蓋７及び弁本体Ａと流体流入・流出口１，２は、それぞれロー付け溶接によって接続固定され、下蓋７とキャン６とは、それぞれテグ溶接によって接続固定されている。
【０００８】
かかる構成の電動流量制御弁では、溶接箇所が４箇所存在し、この４箇所の溶接箇所（弁本体Ａと下蓋７との溶接部、弁本体Ａと流体流入・流出口１，２との溶接部及び下蓋７とキャン６との溶接部）をロー付け溶接とテグ溶接によって接続固定しなければならないので、この溶接作業に手数を要し、また下蓋７の介入による部品点数が増えて、製造コストを押し上げる要因となっていた。更に、弁本体Ａと下蓋７との溶接により、下蓋７に歪を生じるために、下蓋７の接合部外径とキャン６の溶接部内径との同軸の確保が困難であった。
本発明は前記従来の問題を解消するためになされたもので、その目的は低コストの製造が可能で、しかも品質の良い電動流量制御弁を提供することにある。
【０００９】
【課題を解決するための手段】
前記目的を達成するために、本発明の電動流量制御弁は、流体の流入口及び流出口を有しこの流体流入口と流出口の連通部に弁口を設けた弁本体と、この弁本体の弁口の開度を制御する弁部を有した弁棒と、この弁棒の駆動部を密閉するキャンとを具備する電動流量制御弁において、前記弁本体Aを流体の流入口１及び流出口２とキャン接合部を一体的に設けた鍛造による一体化部品で構成し、前記弁本体Aのキャン接合部２０が前記キャン６の開口部に内嵌される突出口２２と、この突出口２２の外囲部に凹設され前記キャン６の開口端フランジ部６ａをＯリング２３でシールして受入支持する環状の凹部２４とからなり、この凹部２４内に嵌合したキャン固定リング２５を本体カシメ部２６でカシメ固定して、このキャン固定リング２５と前記弁本体Aとの間に前記キャン６の開口端フランジ部６ａを挾持固定したことを特徴とする。
【００１０】
【作用】
前記構成の電動流量制御弁によれば、従来の下蓋７をなくして部品点数を減らすこと、溶接箇所を皆無にすることができて、製造コストを低減させることができる。また、弁本体Ａとキャン６を本体カシメ部２６のカシメ付けで接続固定することによって、アルミニウム等の鍛造品で作られた弁本体Ａとステンレス材等で作られたキャン６を容易且つ正確に接続固定することができ、流量制御弁の品質を向上させることができる。
【００１１】
【実施例】
以下、本発明の第１の実施例を図１乃至図３に従い具体的に説明する。
この実施例における電動流量制御弁の基本的な構造は図５に示す従来のものと略同様であるので、同一部分に同符号を付して詳細な構成説明は省略する。
【００１２】
而して、この第１の実施例においては、前記弁本体Ａを流体の流入口１及び流出口２とキャン接合部２０を一体的に設けた鍛造によるアルミニウムの一体化部品で構成し、この弁本体Ａのキャン接合部２０と前記キャン６とが接合する部分を本体カシメ部２６のカシメ付けによって接続固定したことを特徴とするものである。
【００１３】
前記弁本体Ａのキャン接合部２０は、キャン６の開口部に内嵌される環状の突出口２２と、この突出口２２の外囲部に凹設され前記キャン６の開口端フランジ部６ａをＯリング２３でシールして受入支持する環状の凹部２４とからなり、この凹部２４内に嵌合したキャン固定リング２５を本体カシメ部２６でカシメ固定して、このキャン固定リング２５と弁本体Ａとの間にキャン６の開口端フランジ部６ａを図２の如く挾持固定するように構成されている。
【００１４】
なお、図１及び図２に示す符号２７は弁取付金具で、ステッピングモータＭの外郭体２８に溶接固定される腕片部２７ａと、弁本体Ａの金具取付部２９にビス止着される足片部２７ｂと、車両等の被取付部に対する係止穴３０及びねじ締着穴３１とを有している。
【００１５】
図４は本発明の第２の実施例を示す。
この第２の実施例は、前記弁本体Ａのキャン接合部２０がキャン６の開口部にＯリング３２でシールして内嵌される環状の突出口２２と、キャン６の開口端フランジ部６ａをＯリング２３でシールして支持するフランジ支承部３３とからなり、このフランジ支承部３３に接合するキャンフランジ部６ａを本体カシメ部２６で直接カシメ固定して、前記キャン６と弁本体Ａを接続固定したもので、その他の構成は前述した第１の実施例と同様である。
【００１６】
【発明の効果】
本発明の流量制御弁は、前述したように弁本体Ａに流体の流入口１及び流出口２とキャン接合部２０を一体的に設けたので、従来の下蓋７をなくして部品点数を減らすこと、溶接箇所を皆無にすることができて、製造コストを低減させることができる。
【００１７】
また、弁本体Ａとキャン６を本体カシメ部２６のカシメ付けで接続固定することによって、アルミニウム等の鍛造品で作られた弁本体Ａとステンレス材等で作られたキャン６を容易且つ正確に接続固定することができ、流量制御弁の品質を向上させることができる。なお、弁本体Ａを鍛造によるアルミニウムの一体化部品で構成した場合には、制御弁の軽量化を計ることができる。
【図面の簡単な説明】
【図１】本発明の第１の実施例による電動流量制御弁を示す中央縦断面図。
【図２】図１を左側から見た側面図。
【図３】図１に示す電動流量制御弁の要部切欠正面図。
【図４】本発明の第２の実施例による電動流量制御弁の要部切欠正面図。
【図５】従来の電動流量制御弁を示した中央縦断面図。
【符号の説明】
Ａ…弁本体、１…流体流入口、２…流体流出口、３…弁口、４…弁部、５…弁棒、６…キャン、６ａ…キャンの開口端フランジ部、８…ステータコイル、９…ロータ、Ｍ…ステッピングモータ、２０…キャン接合部、２２…突出口、２３…Ｏリング、２４…凹部、２５…キャン固定リング、２６…本体カシメ部、３２…Ｏリング、３３…フランジ支承部。
【図１】
0003573300.tif 000002
【図２】
0003573300.tif 000003
【図３】
0003573300.tif 000004
【図４】
0003573300.tif 000005
【図５】
0003573300.tif 000006